(57)【要約】      （修正有）【課題】取付における作業の簡便性や強固さを改良したソーラーパネルの下部空間に簡便かつ強固に設置することが可能な防鳥具を提供する。【解決手段】ソーラーパネル下部空間に設置する防鳥具１は、ネット３と屋根２００及びソーラーパネル１００の筺体に接着可能なネット固定具５とネット押えテープ７とを備えている。複数のネット固定具５と複数の紐状部材を用いることで、ネット３をソーラーパネル１００の筺体と屋根２００に張設可能である。ネット押えテープ７は、所定の長さの薄板状芯と被覆テープと両面テープからなる。ネット押えテープ７は、屋根２００に前記ネット３を押さえつけて固定することが可能である。【選択図】図１
0003223794.tif 000002
【実用新案登録請求の範囲】
【請求項１】
ネットと屋根及びソーラーパネルの筺体に接着可能なネット固定具とネット押えテープとを備え、
複数の前記ネット固定具と複数の紐状部材を用いることで、前記ネットをソーラーパネルの筺体と屋根に張設可能であり、
前記ネット押えテープは、所定の長さの薄板状芯と被覆テープと両面テープからなり、少なくとも屋根に前記ネットを押さえつけて固定することが可能である、ソーラーパネル下部空間に設置する防鳥具。
【請求項２】
前記ネット押えテープは、折り曲げ可能である、請求項１に記載のソーラーパネル下部空間に設置する防鳥具。
【請求項３】
前記ネット押えテープは、複数の蛇腹折部を有している、請求項１又は請求項２に記載のソーラーパネル下部空間に設置する防鳥具。
【考案の詳細な説明】
【技術分野】
【０００１】
本考案は、ソーラーパネル下部空間に設置する防鳥具に関する。
【背景技術】
【０００２】
従来、鳥等のソーラーパネル下部空間への進入を防止する技術が知られている（例えば、特許文献１、２）。
【先行技術文献】
【特許文献】
【０００３】
【特許文献１】特開２０１８−１０５００２号公報
【特許文献２】特開２０１９−５８０７８号公報
【考案の概要】
【考案が解決しようとする課題】
【０００４】
一般住宅において、ソーラーパネルは、勾配のある屋根に設置される。また、一般住宅の屋根の勾配や形状は多様である。このような場所において、作業者の安全性を考慮すると、ソーラーパネルの下部空間に設置する防鳥具は、様々な屋根の勾配や形状を有する場合であっても、簡便かつ強固に設置することが必要である。しかし、特許文献１、２に開示された発明は、ソーラーパネルの下部の空間に鳥等の進入を防止することは可能であるが、取付における作業の簡便性や強固さについて改良の余地がある。
【０００５】
本考案は、このようなことに鑑みてなされたものであり、様々な勾配や形状を有する屋根であっても、ソーラーパネルの下部空間に簡便かつ強固に設置することが可能な防鳥具を提供することである。
【課題を解決するための手段】
【０００６】
上記目的は、
ネット（３）と屋根（２００）及びソーラーパネル（１００）の筺体に接着可能なネット固定具（５）とネット押えテープ（７）とを備え、
複数の前記ネット固定具（５）と複数の紐状部材を用いることで、前記ネット（３）をソーラーパネル（１００）の筺体と屋根（２００）に張設可能であり、
前記ネット押えテープ（７）は、所定の長さの薄板状芯（７ｂ）と被覆テープ（７ａ）と両面テープ（７ｃ）からなり、少なくとも屋根（２００）に前記ネット（３）を押さえつけて固定することが可能である、ソーラーパネル下部空間に設置する防鳥具（１）
によって達成される。
【０００７】
また、上記目的は、
前記ネット押えテープ（７）は、折り曲げ可能である、上記のソーラーパネル下部空間に設置する防鳥具（１）
によっても達成される。
【０００８】
また、上記目的は、
前記ネット押えテープ（７）は、複数の蛇腹折部（ａ１）を有している、上記のソーラーパネル下部空間に設置する防鳥具（１）
によっても達成される。
【考案の効果】
【０００９】
本考案によれば、様々な勾配や形状を有する屋根であっても、ソーラーパネルの下部空間に簡便かつ強固に設置することが可能な防鳥具を提供することができる。
【図面の簡単な説明】
【００１０】
【図１】本考案の実施形態による防鳥具１を説明する図である。
【図２】本考案の実施形態による防鳥具１を説明する図である。
【図３】本考案の実施形態による防鳥具１を説明する図である。
【図４】本考案の実施形態による防鳥具１を説明する図である。
【考案を実施するための形態】
【００１１】
以下、図１〜図４を用いて、本考案の実施形態によるソーラーパネルの下部空間に設置する防鳥具１を説明する。なお、以下の全ての図面においては、理解を容易にするため、各構成要素の寸法や比率などは適宜異ならせて図示する場合がある。
【００１２】
図１は、本実施形態による防鳥具１を屋根２００に設けられたソーラーパネル１００の下部空間に鳥が侵入しないように設置した状態の斜視図である。防鳥具１は、ネット３と、屋根及びソーラーパネルの筺体に接着可能なネット固定具５と、屋根にネット３を押さえつけて固定することが可能なネット押えテープ７とを有する構造である。
【００１３】
本実施形態による防鳥具１は、ソーラーパネル１００の下端と上端の下部空間は、ネット固定具５を用いて、ネット３をソーラーパネル１００の筐体と屋根２００に吊架することで張設され、ソーラーパネル１００左端と右端の下部空間は、ネット固定具５とネット押えテープ７を用いて、ネット３をソーラーパネル１００の筐体と屋根２００に吊架及び押着することで張設される。図１に示すように、屋根の勾配がある部分についてはネット押えテープ７を用いることで、ネット３が隙間なく屋根２００に設置することが可能である。また、ネット固定具５は、ソーラーパネル１００の筐体の側壁と屋根２００の表面におよそ３００ｍｍピッチ以内の間隔で複数貼着する構成であるが、３００ｍｍピッチよりも長い間隔で複数貼着する構成であってもよい。
【００１４】
図２は、ネット３の正面図である。ネット３は、難燃性及び高耐候性の素材が用いられ、目立たない黒色で構成される。また、ネット３は、作業者が余分な部分をはさみやカッター等を用いて容易に切断することが可能な素材を用いるのが好適であり、例えば、難燃性のポリエチレン素材が好適である。
【００１５】
図３は、ネット固定具５の表面図である。本実施形態による防鳥具１は、一般に流通しているナイロンの配線固定具を用い、結束バンド等の紐状部材を用いてネット３をネット固定具に取り付ける構成である。また、ネット固定具５の裏面に両面テープを備え、ネット固定具５をソーラーパネルの側壁や屋根の表面に貼着する構成であってもよいし、屋根の種類や劣化状況に合わせて、別途接着剤を用いて、ネット固定具５をソーラーパネルの側壁や屋根の表面に貼着する構成であってもよい。なお、ネット固定具５には、一般に流通しているナイロンの配線固定具以外のものを用いてもよい。
【００１６】
図４を用いて、ネット押えテープ７を説明する。図４（ａ）は、ネット押えテープ７の表面図であり、図４（ｂ）は、ネット押えテープ７の正面図であり、図４（ｃ）は、ネット押えテープ７を図４（ｂ）のＡ−Ａ仮想線で切断した場合の切断部端面を拡大した図である。
【００１７】
図４（ｃ）に示すように、ネット押えテープ７は、被覆テープ７ａ、薄板状芯７ｂ、両面テープ７ｃの層構造で構成される。被覆テープ７ａを薄板状芯７ｂの上面側に貼着し、両面テープ７ｃを薄板状芯７ｂの下面側に貼着して構成される。
【００１８】
薄板状芯７ｂは、薄さが０．５ｍｍ程度の金属であり、本実施形態では、アルミニウムが用いられる。薄板状芯７ｂは、ネット押えテープ７の芯材として機能し、ネット押えテープ７が少なくとも１０ｃｍ程度であれば、自重にて折曲がることがない強度であるものの、人力で容易に折り曲げることも可能である。また、薄板状芯７ｂは、太陽光を遮光することで両面テープの耐久性を高めることができる。
【００１９】
ネット押えテープ７は、複数の蛇腹折部ａ１を有する構造である。ネット押えテープ７の山折と谷折を複数回行うことで、ネット押えテープ７の表面と裏面に蛇腹折部ａ１が同数現れるように構成される。この蛇腹折部ａ１が節として機能するため、ネット押えテープ７が屋根の表面の形状に併せて変形自在となり、隙間なくネット３を屋根に押さえつけて貼着することが可能となる。
【００２０】
また、ネット押えテープ７は、予めソーラーパネルの一辺の長さに合わせた長さに切断し用いる。ネット押えテープ７は上述の強度を有するため、作業者は、一般住宅の屋根において、テープをソーラーパネルの大きさに合わせて切断しなくてもよく、作業の簡便化が図れる。なお、ネット押えテープ７は、予めソーラーパネルの一辺を複数に分割した長さに合わせた長さに切断し用いる場合があってもよい。
【００２１】
上述の実施形態は、本考案の好適な一例であるので、技術的に好ましい種々の限定が付されているが、本考案の範囲は、上述の説明によって不当に限定されるものではない。また、上述の実施形態で説明される構成の全てが本考案の必須の構成要件ではない。また、上述の実施形態で説明される構成は相互に付け足したり組み合わせたりしてもよい。
【産業上の利用可能性】
【００２２】
本考案は、一般住宅の屋根に設けられるソーラーパネルのみならず、平地や勾配のない屋根や屋上に設けられるソーラーパネルやその他の構造物の下部空間に設置する防鳥具において広く利用可能である。
【符号の説明】
【００２３】
１  防鳥具
３  ネット
５  ネット固定具
７  ネット押えテープ
７ａ  被覆テープ
７ｂ  薄板状芯
７ｃ  両面テープ
ａ１  蛇腹折部
１００  ソーラーパネル
２００  屋根
【図１】
0003223794.tif 000003
【図２】
0003223794.tif 000004
【図３】
0003223794.tif 000005
【図４】
0003223794.tif 000006